(57)【要約】【課題】重機を使用しての短時間の窃盗行為においても、現金などの貴重品の窃盗を防止する貴重品窃盗防止方法、貴重品収納装置および貴重品窃盗防止装置を提供するにある。【解決手段】異常検出手段５、６、９のいずれかが異常を検出すると、自動的に貴重品退避手段８が開き現金ケース７から現金である貴重品１５が退避部１１に投下され、扉１３が自動的に閉じられ、特殊キーや解除暗号信号などの特殊な操作がなければロックが解除されないようになっている。【選択図】  図１
2005009213.tif 000002
【特許請求の範囲】
【請求項１】
現金自動預支払機などの貴重品収納装置の下方や横方向や上方に現金等の貴重品が移動退避される貴重品退避部を設け、異常な振動や音や破壊や操作などの一つあるいは複数の異常状態を検出する異常検出手段を設け、この異常検出手段で異常を検出した場合に前記貴重品退避部に前記貴重品を自動的にあるいは遠隔無線操作等により退避させるようにしてな貴重品窃盗防止方法。
【請求項２】
現金自動預支払機などの貴重品収納装置の略下である地中等に貴重品退避部を設け、異常な振動や音や破壊や操作などの一つあるいは複数の異常状態を検出する異常検出手段を設け、この異常検出手段で異常を検出した場合に前記貴重品退避部に前記貴重品を自動的にあるいは遠隔無線操作等により退避させるようにしてな貴重品窃盗防止方法。
【請求項３】
現金自動預支払機などの貴重品収納装置の下方や横方向や上方に現金等の貴重品が移動退避される貴重品退避部を設け、前記貴重品収納付装置の動かしがあった場合に、貴重品を収納したケース等の電気的制御によらない機械的支持状態が解除されて前記ケース等が落下したり回動したり倒れたりして前記貴重品退避部に前記貴重品を自動的に退避させるようにしてな貴重品窃盗防止方法。
【請求項４】
貴重品を収納めた現金自動預支払機等の貴重品収納装置本体と、この貴重品収納装置本体や該貴重品収納装置を収納めたキャッシングボックス等やハウス等の装置収納体に設けられた異常な振動や音や破壊や操作などの一つあるいは複数の異常状態を検出する異常検出手段と、前記貴重品収納装置本体に設けられた前記貴重品あるいは貴重品を収納めた貴重品収納ケースなどを貴重品退避部に退避させるために、前記異常検出手段が異常を検出した場合に自動的にあるいは遠隔操作等により作動する貴重品退避手段とからなることを特徴とする貴重品収納装置。
【請求項５】
現金自動預支払機などの貴重品収納装置の略下である地中等に設けられる貴重品退避部本体と、この貴重品退避部本体内に設けられた退避部とからなり、窃盗行為などの異常状態があった場合に前記貴重品装置に収納されている貴重品や貴重品収納ケースを前記退避部に退避されるように使用されることを特徴とする貴重品窃盗防止装置。
【請求項６】
退避された貴重品や貴重品収納ケースなどを取り出せなくする取り出し防止手段を設けてなることを特徴とする請求項５記載の貴重品窃盗防止装置。
【発明の詳細な説明】
【０００１】
【発明の属する技術分野】
本発明は現金や宝石や有価証券などの貴重品を収納める現金自動支払機や金庫などの貴重品収納装置に係わり、収納めされた貴重品を窃盗から防止する貴重品窃盗防止方法、貴重品収納装置および貴重品窃盗防止装置に関する。
【０００２】
【従来技術】
従来、現金自動預支払機やそれを納めているキャッシングボックスに異常事態を検出するセンサを設け、異常事態を検出した場合には警備会社に異常が通報され、警備員や警察が急行するという方法が知られている。
【０００３】
【発明が解決しようとする課題】
前述した従来技術は、盗んだ重機により短時間でキャッシングボックスを破壊してあるいはキャッシングボックスごと現金自動預支払機をトラックに積み込み窃盗するという窃盗方法には、警備員が現場に到着する時間がある程度かかるため窃盗を防げないという欠点があった。
【０００４】
本発明は以上のような従来技術の欠点に鑑み、重機を使用しての短時間の窃盗行為においても、現金などの貴重品の窃盗を防止する貴重品窃盗防止方法、貴重品収納装置および貴重品窃盗防止装置を提供するにある。
【０００５】
本発明の前記並びにそのほかの新規な特徴は次の説明を添付図面と照らし合わせて読むと、より完全に明らかになるであろう。
ただし、図面はもっぱら解説のためであって、本発明の技術的範囲を限定するものではない。
【０００６】
【課題を解決するための手段】
上記目的を達成するために、現金自動預支払機などの貴重品収納装置の下方や横方向や上方に現金等の貴重品が移動退避される貴重品退避部を設け、異常な振動や音や破壊や操作などの一つあるいは複数の異常状態を検出する異常検出手段を設け、この異常検出手段で異常を検出した場合に前記貴重品退避部に前記貴重品を自動的にあるいは遠隔無線操作等により退避させるようにしてな貴重品窃盗防止方法を構成している。
【０００７】
また、貴重品を収納めた現金自動預支払機等の貴重品収納装置本体と、この貴重品収納装置本体や該貴重品収納装置を収納めたキャッシングボックス等やハウス等の装置収納体に設けられた異常な振動や音や破壊や操作などの一つあるいは複数の異常状態を検出する異常検出手段と、前記貴重品収納装置本体に設けられた前記貴重品あるいは貴重品を収納めた貴重品収納ケースなどを貴重品退避部に退避させるために、前記異常検出手段が異常を検出した場合に自動的にあるいは遠隔操作等により作動する貴重品退避手段とで貴重品収納装置を構成している。
【０００８】
【発明の実施の形態】
以下、図面に示す実施の形態により、本発明を詳細に説明する。
【０００９】
図１に示す本発明の第１の実施の形態において１は現金自動預支払システムであって、この現金自動預支払システムは現金自動預支払装置からなる貴重品収納装置２と、該２の下方地中に埋設された縦落とし穴形態の貴重品窃盗防止装置３と、キャッシングボックス４とからなっている。
貴重品収納装置２は異常振動や揺れを検出する異常検出手段５と該２の動かしを検出する異常検出手段６とが設けられ、現金を入れる現金ケース７は底板からなる貴重品退避手段８が開くようになっていて該８が開くと中の現金が落ちるようになっている。
キャッシングボックス４には異常振動や揺れを検出する異常検出手段９が適宜設けられている。
貴重品窃盗防止装置３は退避部本体１０と、該１０の底側からなる退避部１１と、扉駆動装置１２により横移動する取り出し防止手段である扉１３と、上部外側に設けられた退避部本体１０や地中の異常振動を検出する異常検出手段１４とからなっている。
異常検出手段５、６、９のいずれかが異常を検出すると、自動的に貴重品退避手段８が開き現金ケース７から現金である貴重品１５が退避部１１に投下され、扉１３が自動的に閉じられ、特殊キーや解除暗号信号などの特殊な操作がなければロックが解除されないようになっている。
【００１０】
【発明の異なる実施の形態】
次に、図２ないし８図に示す本発明の異なる実施の形態につき説明する。これらの発明の異なる実施の形態の説明に当たって、前記本発明の第１の実施の形態と同一構成部分は同一の符号を付して重複する説明を省略する。
【００１１】
図２に示す本発明の第２の実施の形態において前記第１の実施の形態と主に異なる点は、キャッシングボックス４と、貴重品収納装置１９と、貴重品窃盗防止装置２０とで現金自動預支払システム２１を形成し、貴重品収納装置１９は現金ケース２２の底部を落ちないように支持する貴重品退避手段２３を設け、貴重品窃盗防止装置２０は、退避部１１にクッション２４を設け、退避部本体１０の下部に異常検出手段１４を設けた点にある。
異常検出手段５、６、９のいずれかが異常を検出すると、自動的に貴重品退避手段２３が開き動作して現金ケース２２を退避部１１に投下され、扉１３が自動的に閉じられる。
【００１２】
図３に示す本発明の第３の実施の形態において前記第１の実施の形態と主に異なる点は、貴重品窃盗防止装置３０の構成を扉押し倒し部２８により回動倒れて退避部１１を塞ぐ取り出し防止手段である扉２９を設けた現金自動預支払システム３１を形成した点にある。３２は扉の開きをロックするロック片で特殊キーでないと解除できない。
【００１３】
図４に示す本発明の第４の実施の形態において前記第１の実施の形態と主に異なる点は、貴重品収納装置３５と、貴重品窃盗防止装置３６と、キャッシングボックス４とで現金自動預支払システム３７を形成した点にある。
貴重品収納装置３５は、異常が検出されるとケース倒し手段（図示せず）により現金ケース３８が倒れて下になった側から貴重品１５が落下するようになっている。
貴重品窃盗防止装置３６はコンクリート筐体４０に納められている。コンクリート筐体４０は貴重品窃盗防止装置３０を穴にセットした後で打設するのもよい。
貴重品窃盗防止装置３６は、下部に横穴からなる退避部３７を設け、該３７に退避する取り出し防止手段である退避ボックス３８と該３８を退避移動させるボックス駆動手段３９を設け、異常が検出され貴重品１５が退避ボックス３８に収まったら、ボックス駆動手段３９により退避ボックス３８は退避部３７に移動退避する。
横穴へ退避するので穴上方から打撃を与え難い取り出しがたい装置を実現している。
【００１４】
図５に示す本発明の第５の実施の形態において前記第１の実施の形態と主に異なる点は、貴重品収納装置１９（図省略）と、キャッシングボックス４（図省略）と、貴重品窃盗防止装置４２とで現金自動預支払システム４３を形成した点にある。
貴重品窃盗防止装置４２は、滑り傾斜からなるトンネル部４４を設け、該４４の先に上部に退避部４５、下部に取り出し防止手段である皿体４６および該４６を上下動させる皿体駆動手段４７を備えた空洞部４８を設けた構成となっている。
投下された現金ケース２２は皿体４６に載る。皿体駆動手段４７が自動作動し皿体４６が昇り移動して退避部４５に移動する。トンネル部４４は皿体４６の下部部位で塞がれる。
【００１５】
図６に示す本発明の第６の実施の形態において前記第１の実施の形態と主に異なる点は、貴重品収納装置１９（図省略）と、キャッシングボックス４（図省略）と、貴重品窃盗防止装置５１とで現金自動預支払システム５２を形成した点にある。
貴重品窃盗防止装置５１は、垂直降下部５３と該５３に連続する傾斜滑部５４と、退避部５５とからなる退避部本体５６と、傾斜滑部５４に吊り設けられたストッパー５７により奥方向にのみ回動するようにされた取り出し防止手段である戻り阻止バー５８とから構成されている。戻り阻止バー５８は多数本吊り設けられている。
現金ケース２２の上部には非磁性体で凸凹形態の接続防止体５９が取り付けられ、磁石による磁着や吸引による吸い付きなどによる取り出しができないようにしている。
【００１６】
図７に示す本発明の第７の実施の形態において前記第１の実施の形態と主に異なる点は、貴重品収納装置１９と、キャッシングボックス４と、貴重品窃盗防止装置６２とで現金自動預支払システム６３を形成した点にある。
貴重品窃盗防止装置６２は、略逆さ（ハテナマーク）形態のトンネルからなる退避部本体６３と、該６３の先端側の退避部６４と、Ｕ字カーブの中央頂点に下げられた戻り阻止バー５８と、スピーカー６５とから構成されている。
ワイヤーに磁石をつけて現金ケース２２を磁着させて引き上げようとしても戻り阻止バー５８にぶつかり阻止される。また、異常検出と同時にスピーカー６５がけたたましく鳴りつづけて犯行遂行に精神的焦りを与える。
以上実施の形態に記載した貴重品盗難防止装置の穴形態にはこれ以外にも多様なものがものがある。例えば、移動装置や蓋・扉などの動作装置を設けず、退避部縦断面が略首長三角フラスコのような形態で底部が首根っこ中央に盛り上がり傾斜しもの、深い縦穴からなりスプリングで上方に略水平から下向きに付勢されたピンを複数列・複数段設け、落下するケースは自重でピンを下方に押し下げながら退避部に落下し、ピンはスプリングの付勢力により略水平状態に戻り、ケースを上げようとしてもピンに当り持ち上げることが阻止されるようにしてなるものなどがある。
【００１７】
図８に示す本発明の第８の実施の形態において前記第１の実施の形態と主に異なる点は、貴重品収納装置６７（図示せず）と、異常検出手段９を設けないキャッシングボックス６８（図示せず）と、貴重品窃盗防止装置１９（図示せず）とで現金自動預支払システム６９を形成した点にある。
貴重品収納装置６７は、該６７が外力により浮かされたり、横移動されたり、傾いたりした場合には、貴重品退避手段２３、２３を重量によりケース支持状態にしている錘７０が移動し、現金ケース２２の重さにより貴重品退避手段２３、２３が解除され現金ケース２２は退避部１１に落下する。
貴重品退避手段２３、２３は支軸７１で軸支され、支軸７２で先端を連結された張り棒７３、７３で突っ張り関係になっている。７４は皿である。
異常振動などの異常を検出する手段による動作ではなく、電力なしの機械構造によるものであるので、停電やバッテリー切れのような自体でも、作動する、コストを安価にできるものである。
貴重品収納装置においても、貴重品を退避させる構造や方法は前記した実施の形態以外にも多様な構造や方法がある。例えば、貴重品ケースを収めるケース収納部を設け、異常を検出するとあるい装置の異常動かしがあるとケース収納部が回動して貴重品ケースを放出落下させるものなどもある。この場合、ケース収納部の支持は下部の支持板でおこない、この支持板は貴重品窃盗防止装置の開口の貴重品ケース出し入れ側を塞ぐ形態にするのがよい。こうすることにより、貴重品ケースの出し入れのさいに誤って落とすことを防止できる。支持板の支持は電気的制御によるもの、電気的制御の無い機械的支持によるものがある。
【００１８】
【発明の効果】
以上の説明から明らかなように、本発明にあっては次に列挙する効果が得られる。
【００１９】
（１）異常な振動や音や破壊や操作などの一つあるいは複数の異常状態を検出すると、速やかに貴重品を地中の落とし穴形態などの貴重品退避部に退避させるので、窃盗犯は貴重品を手に入れることができないあるいは短時間では貴重品を手に入れることができないので、警備員等が現場に到着する前に目的を達成することなく逃走させるるという効果を得ることができる。
【００２０】
（２）また、錘などの電気的制御なしの機械的支持により貴重品ケース等を支持してなる構成は、貴重品収納装置が浮かされたり傾かれたり横に移動させられたりすると前記（１）と同様な作用効果を得ることができるとともに、電源を切られても確実に動作し、コストも安価にできるという効果を得ることができる。
【図面の簡単な説明】
【図１】本発明の第１の実施の形態の概念図。
【図２】本発明の第２の実施の形態の概念図。
【図３】本発明の第３の実施の形態の概念図。
【図４】本発明の第４の実施の形態の概念図。
【図５】本発明の第５の実施の形態の概念図。
【図６】本発明の第６の実施の形態の概念図。
【図７】本発明の第７の実施の形態の概念図。
【図８】本発明の第８の実施の形態の部分構成図。
【符号の説明】
１：現金自動預支払システム、      ２：貴重品収納装置、
３：貴重品窃盗防止装置、          ４：キャッシングボックス、
５：異常検出手段、                ６：異常検出手段、
７：現金ケース、                  ８：貴重品退避手段、
９：異常検出手段、              １０：退避部本体、
１１：退避部、                  １２：扉駆動装置、
１３：扉、                      １４：異常検出手段、
１５：貴重品、                  １６：基礎、
１９：貴重品収納装置、          ２０：貴重品窃盗防止装置、
２１：現金自動預支払システム、  ２２：現金ケース、
２３：貴重品退避手段、          ２４：クッション、
２８：扉押し倒し部、            ２９：扉、
３０：貴重品窃盗防止装置、      ３１：現金自動預支払システム、
３２：ロック片、                ３５：貴重品収納装置、
３６：貴重品窃盗防止装置、      ３７：現金自動預支払システム、
３８：現金ケース、              ３９：ボックス駆動手段、
４２：貴重品窃盗防止装置、      ４３：現金自動預支払システム、
４４：トンネル部、              ４５：退避部、
４６：皿体、                    ４７：皿体駆動手段、
４８：空洞部、                  ５１：貴重品窃盗防止装置、
５２：現金自動預支払システム、  ５３：垂直降下部、
５４：傾斜滑部、                ５５：退避部、
５６：退避部本体、              ５７：ストッパー、
５８：戻り阻止バー、            ５９：接続防止体
６２：貴重品窃盗防止装置、      ６３：現金自動預支払システム、
６４：退避、                    ６５：スピーカー、
６７：貴重品収納装置、          ６８：キャッシングボックス、
６９：現金自動預支払システム、  ７０：錘、
７１：支軸、                    ７２：支軸、
７３：張り棒、                  ７４：皿。
【図１】
2005009213.tif 000003
【図２】
2005009213.tif 000004
【図３】
2005009213.tif 000005
【図４】
2005009213.tif 000006
【図５】
2005009213.tif 000007
【図６】
2005009213.tif 000008
【図７】
2005009213.tif 000009
【図８】
2005009213.tif 000010